(57)【要約】【課題】ＡＤＦが装備された際には、照明光源への送風ができ、省電力、低コストの小型化された画像読取装置を得、該画像読取装置を備えることにより、低コストの小型化された画像形成装置を得る。【解決手段】透明板の上面に静止させた原稿に対し、透明板の下面側に配置されて原稿を照明する照明光源と原稿の画像を撮像素子に導く光学系の少なくとも一部を移動させて画像を読み取る第１の画像読取手段と、透明板の上面側に配置され、透明板の上面を露呈する位置と覆う位置とに回動可能な筐体に、自動原稿給送装置を備え、照明光源と光学系とを静止させた状態で画像を読み取る第２の画像読取手段と、を有し、第２の画像読取手段を用いて原稿の画像を読み取る際に、筐体に配置された送風機から照明光源へ送風を行う送風経路が形成される画像読取装置とする。【選択図】図５
2010135888.tif 000002
【特許請求の範囲】
【請求項１】
透明板の上面に静止させた原稿に対し、前記透明板の下面側に配置されて該原稿を照明する照明光源と該原稿の画像を撮像素子に導く光学系の少なくとも一部を移動させて画像を読み取る第１の画像読取手段と、
前記透明板の上面側に配置され、前記透明板の上面を露呈する位置と覆う位置とに回動可能な筐体に、トレイと該トレイに載置された原稿を給送する自動原稿給送装置を備え、該自動原稿給送装置により原稿を給送し、前記照明光源と前記光学系とを静止させた状態で画像を読み取る第２の画像読取手段と、を有し、
前記第２の画像読取手段を用いて原稿の画像を読み取る際に、
前記筐体に配置された送風機から前記照明光源へ送風を行う送風経路が形成されることを特徴とする画像読取装置。
【請求項２】
前記透明板の側方に開閉可能な蓋部材を有し、該蓋部材が開くことにより前記送風経路が形成されることを特徴とする請求項１に記載の画像読取装置。
【請求項３】
前記筐体が前記透明板の上面を覆う位置にあるとき、前記蓋部材が開くよう構成されていることを特徴とする請求項１又は請求項２に記載の画像読取装置。
【請求項４】
前記送風機は、前記自動原稿給送装置の駆動部へ送風するよう配置されていることを特徴とする請求項１から請求項３までの何れか一項に記載の画像読取装置。
【請求項５】
請求項１から請求項４までの何れか一項に記載の画像読取装置と、前記画像読取装置で読み取った画像のデータに基づいて、用紙に画像を形成する画像形成部と、該画像形成部で形成された用紙の画像を定着させる定着部と、を有することを特徴とする画像形成装置。
【発明の詳細な説明】
【技術分野】
【０００１】
本発明は、複写機、多機能プリンタ等に使用される画像読取装置及び、該画像読取装置を有する画像形成装置に関するものである。
【背景技術】
【０００２】
従来より、透明板（原稿ガラスとも言う）の上面に静止させた原稿に対し、透明板の下面側に配置されて原稿を照明する照明光源と該原稿の画像を撮像素子に導く光学系との双方を移動させて原稿の画像を読み取る画像読取装置が知られている。また、筐体に、トレイとトレイに載置された原稿を給送する自動原稿給送装置（以下、ＡＤＦと称す）を備え、このＡＤＦにより原稿を給送し、透明板の下面側に配置された照明光源と光学系とを静止させた状態で、スリットガラス上を通過する原稿の画像を読み取る画像読取装置も知られている。
【０００３】
上記のような画像読取装置のうち、ＡＤＦを使用し、多数枚の原稿を連続的に読み取る場合には、照明光源であるランプは連続点灯状態となり、ランプ管面が高温となり、輝度が不安定となる問題がある。このため、送風機を、透明板下面側のランプ近傍に配置し、ＡＤＦを使用して原稿の画像読み取りを行う場合には、ランプ管面に送風し冷却することが行われている。
【０００４】
このようなものとして、スリットガラスの上下面に沿うように気流を発生させる気流発生手段をスリットガラスの下面側に配置し、これにより読取部の塵の除去とランプの冷却を行おうとする画像読取装置が知られている（例えば、特許文献１参照）。
【特許文献１】特開２００３−３０２７１２号公報
【発明の開示】
【発明が解決しようとする課題】
【０００５】
しかしながら、複写機や多機能プリンタには、ＡＤＦが標準装備でなく、オプションとなっている機種もある。このような機種においては、ＡＤＦを装備しない場合には、原稿ガラス及びスリットガラス下面側に配置された送風機は使用する機会がなく、いわば無駄な部品となる問題がある。
【０００６】
また、ＡＤＦが装備されている場合には、ＡＤＦ側のモータ等の駆動部を冷却するための送風機も配置されているため、双方に送風機を配置することとなり、コスト高、消費電力の増加に加え、透明板下面側の必要スペースの増加を招き大型化する問題がある。
【０００７】
これらについては、上記特許文献１の画像読取装置も同様の問題を有している。
【０００８】
画像読取装置も、より薄く等、小型化への要望が強く、上記のような無駄な部品の搭載は、各部品の効率的な配置を妨げるものである。
【０００９】
本発明は、上記問題に鑑み、ＡＤＦが装備された際には、照明光源への送風ができ、省電力、低コストの小型化された画像読取装置を得、該画像読取装置を備えることにより、低コストの小型化された画像形成装置を得ることを目的とするものである。
【課題を解決するための手段】
【００１０】
上記の課題は、下記の構成により達成される。
【００１１】
１．透明板の上面に静止させた原稿に対し、前記透明板の下面側に配置されて該原稿を照明する照明光源と該原稿の画像を撮像素子に導く光学系の少なくとも一部を移動させて画像を読み取る第１の画像読取手段と、
前記透明板の上面側に配置され、前記透明板の上面を露呈する位置と覆う位置とに回動可能な筐体に、トレイと該トレイに載置された原稿を給送する自動原稿給送装置を備え、該自動原稿給送装置により原稿を給送し、前記照明光源と前記光学系とを静止させた状態で画像を読み取る第２の画像読取手段と、を有し、
前記第２の画像読取手段を用いて原稿の画像を読み取る際に、
前記筐体に配置された送風機から前記照明光源へ送風を行う送風経路が形成されることを特徴とする画像読取装置。
【００１２】
２．前記透明板の側方に開閉可能な蓋部材を有し、該蓋部材が開くことにより前記送風経路が形成されることを特徴とする前記１に記載の画像読取装置。
【００１３】
３．前記筐体が前記透明板の上面を覆う位置にあるとき、前記蓋部材が開くよう構成されていることを特徴とする前記１又は前記２に記載の画像読取装置。
【００１４】
４．前記送風機は、前記自動原稿給送装置の駆動部へ送風するよう配置されていることを特徴とする前記１から前記３までの何れか一項に記載の画像読取装置。
【００１５】
５．前記１から前記４までの何れか一項に記載の画像読取装置と、前記画像読取装置で読み取った画像のデータに基づいて、用紙に画像を形成する画像形成部と、該画像形成部で形成された用紙の画像を定着させる定着部と、を有することを特徴とする画像形成装置。
【発明の効果】
【００１６】
本発明によれば、ＡＤＦが装備された際には、照明光源への送風ができ、省電力、低コストの小型化された画像読取装置を得ることが可能となり、該画像読取装置を備えることにより、省電力、低コストの小型化された画像形成装置を得ることが可能となる。
【発明を実施するための最良の形態】
【００１７】
以下、実施の形態により本発明を詳しく説明するが、本発明はこれに限定されるものではない。
【００１８】
図１及び図２は、本実施の形態に係る画像読取装置を備えた画像形成装置の全体構成を示す断面図である。
【００１９】
図１及び図２に示す、画像形成装置は、画像形成部ＧＨ、画像読取装置ＹＳ、定着部９等で構成される。画像形成部ＧＨは、タンデム型カラー画像形成部と称せられるもので、複数組の画像形成ユニット１０Ｙ、１０Ｍ、１０Ｃ、１０Ｋ、中間転写体６、２次転写部７Ａ等で構成されている。
【００２０】
画像形成部ＧＨの上部には、画像読取装置ＹＳが設置され、第１の画像読取手段及び第２の画像読取手段の、２つの方式での画像の読み取りが可能となっている。
【００２１】
画像読取装置ＹＳのうち、第１の画像読取手段は、原稿ガラスと反射ミラーを含む光学系と撮像素子であるラインセンサで構成されている。
【００２２】
この、第１の画像読取手段は、図１に示すように、透明板である原稿ガラスＧ１の上面に原稿を載置、静止させた状態で画像を読み取るものである。原稿ガラスＧ１の上面に載置された原稿の画像は、原稿ガラスＧ１の下面側に配置された原稿を照明する照明光源３２及び、原稿の画像を撮像素子であるラインセンサＣＣＤに導く光学系３０の一部である反射ミラーＭ１、Ｍ２、Ｍ３を移動させて読み取られる。
【００２３】
また、第２の画像読取手段は、原稿を給送する自動原稿給送装置（以下、ＡＤＦと称す）を備えた筐体と、スリットガラスと反射ミラーを含む光学系と撮像素子であるラインセンサで構成されている。
【００２４】
第２の画像読取手段の一部を構成する筐体４０は、図２に示すように、原稿ガラスＧ１の上面側に配置されている。筐体４０は、原稿ガラスＧ１の上面を露呈する位置と覆う位置とに回動可能となされ、原稿トレイ４１に載置された原稿ｄを給送する自動原稿給送装置（以下、ＡＤＦと称す）５０１を備えている。ＡＤＦ５０１は、原稿トレイ４１上の原稿ｄを給送し、スリットガラスＧ２下に位置する照明光源３２及び、反射ミラーＭ１、Ｍ２、Ｍ３を含む光学系を静止させた状態で原稿ｄの画像をラインセンサＣＣＤに導き、画像を読み取るものである。
【００２５】
より具体的には、ＡＤＦ５０１により、原稿トレイ４１上の原稿ｄは１枚づつ、給送ローラ対５１、５２、５３の順に給送される。この後、原稿ｄはローラ５４とスリットガラスＧ２の間を通過し、原稿ｄの画像は、スリットガラスＧ２の下方で静止した照明光源３２及び、反射ミラーＭ１、Ｍ２、Ｍ３を含む光学系により、ラインセンサＣＣＤに導かれる。さらに、原稿ｄは、ガイド部材５９、給送ローラ対５５、５６を経て、排紙皿４２上に排出される。以上は、片面読み取りの動作である。
【００２６】
両面読み取りの際は、上記の片面の読み取り後、給送ローラ対５５を経て、不図示の経路切換部材により給送ローラ対５７へ給送され、給送ローラ対５７の反転により、給送ローラ対５８へ導かれる。この後、再度給送ローラ対５３を経て、ローラ５４とスリットガラスＧ２の間を通過し、原稿ｄの他方の面の画像が読み取られ、給送ローラ対５５、５６を経て、排紙皿４２上に排出される。
【００２７】
ラインセンサＣＣＤにより光電変換された画像信号は、画像処理部において、アナログ処理、Ａ／Ｄ変換、シェーディング補正、画像圧縮処理等が行われた後、露光部３Ｙ、３Ｍ、３Ｃ、３Ｋに送られる。
【００２８】
イエロー（Ｙ）色の画像を形成する画像形成ユニット１０Ｙは、像担持体である感光体ドラム１Ｙの周囲に帯電部２Ｙ、露光部３Ｙ、現像装置４Ｙ、一次転写部７Ｙ及びクリーニング部８Ｙを有している。
【００２９】
マゼンタ（Ｍ）色の画像を形成する画像形成ユニット１０Ｍは、感光体ドラム１Ｍの周囲に帯電部２Ｍ、露光部３Ｍ、現像装置４Ｍ、一次転写部７Ｍ及びクリーニング部８Ｍを有している。
【００３０】
シアン（Ｃ）色の画像を形成する画像形成ユニット１０Ｃは、感光体ドラム１Ｃの周囲に帯電部２Ｃ、露光部３Ｃ、現像装置４Ｃ、一次転写部７Ｃ及びクリーニング部８Ｃを有している。
【００３１】
黒（Ｋ）色の画像を形成する画像形成ユニット１０Ｋは、感光体ドラム１Ｋの周囲に帯電部２Ｋ、露光部３Ｋ、現像装置４Ｋ、一次転写部７Ｋ及びクリーニング部８Ｋを有している。
【００３２】
帯電部２Ｙと露光部３Ｙ、帯電部２Ｍと露光部３Ｍ、帯電部２Ｃと露光部３Ｃ、及び帯電部２Ｋと露光部３Ｋは、潜像形成部を構成している。
【００３３】
なお、現像装置４Ｙ、４Ｍ、４Ｃ、４Ｋは、例えばイエロー（Ｙ）、マゼンタ（Ｍ）、シアン（Ｃ）及び黒（Ｋ）の小粒径のトナーとキャリアからなる２成分現像剤が用いられる。
【００３４】
画像形成ユニット１０Ｙは、感光体ドラム１Ｙを帯電部２Ｙにより帯電させ、露光部３Ｙにより画像データに基づいて光を照射し、現像装置４Ｙによりトナーを付着させた後、イエロー（Ｙ）色の画像を中間転写体６に転写する。中間転写体６に転写後の感光体ドラム１Ｙに残留するトナーは、クリーニング部８Ｙにより除去される。
【００３５】
画像形成ユニット１０Ｍ、１０Ｃ、１０Ｋも、各々同様に、感光体ドラム１Ｍ、１Ｃ、１Ｋを、それぞれ帯電部２Ｍ、２Ｃ、２Ｋにより帯電させ、露光部３Ｍ、３Ｃ、３Ｋにより、それぞれの画像データに基づいて光を照射し、現像装置４Ｍ、４Ｃ、４Ｋによりトナーを付着させた後、各色の画像を中間転写体６に１次転写する。中間転写体６に１次転写後の感光体ドラム１Ｍ、１Ｃ、１Ｋに残留するトナーは、それぞれクリーニング部８Ｍ、８Ｃ、８Ｋにより除去される。
【００３６】
中間転写体６は、複数のローラにより巻回され、回動可能に支持されている。定着部９は、定着ローラ９１及び加圧ローラ９２を有し、定着ローラ９１と加圧ローラ９２との間に形成されたニップ部で用紙Ｐ上のトナー像を加熱・加圧して定着する。
【００３７】
画像形成ユニット１０Ｙ、１０Ｍ、１０Ｃ、１０Ｋより形成された各色の画像は、回動する中間転写体６上に１次転写部７Ｙ、７Ｍ、７Ｃ、７Ｋにより逐次１次転写されて重ね合わされ、カラー画像が形成される。
【００３８】
用紙収納部である給紙トレイ２１内に収容された用紙Ｐは、給紙部２０の給紙ローラ２２により１枚ずつ分離されて給紙され、給紙ローラ２３を経て、停止状態にあるレジストローラ２４へ給紙される。そこで一旦停止されて、その先端と中間転写体６上のトナー像との位置関係が一致するタイミングで、そのレジストローラ２４が回転を開始することにより２次転写部７Ａに給紙され、用紙Ｐ上にカラー画像が２次転写される。カラー画像が転写された用紙Ｐは定着部９において加熱・加圧され、用紙Ｐ上のカラー画像が定着される。その後、排紙ローラ２５に挟持されて機外の排紙トレイ２６上に載置される。
【００３９】
一方、２次転写部７Ａにより用紙Ｐにカラー画像を転写した後に用紙Ｐを曲率分離した中間転写体６は、中間転写体クリーニング部８Ａにより残留トナーが除去される。
【００４０】
１１Ｙはイエロー（Ｙ）色のトナーを収容したトナー容器であり、現像装置４Ｙにトナーを供給する。１１Ｍはマゼンタ（Ｍ）色のトナーを収容したトナー容器であり、現像装置４Ｍにトナーを供給する。１１Ｃはシアン（Ｃ）色のトナーを収容したトナー容器であり、現像装置４Ｃにトナーを供給する。１１Ｋは黒（Ｋ）色のトナーを収容したトナー容器であり、現像装置４Ｋにトナーを供給する。
【００４１】
更に、本実施の形態に係る画像読取装置ＹＳは、図２に示すように、原稿ガラスＧ１の側方に開閉可能な蓋部材６０を有しており、第２の画像読取手段を使用する場合には、蓋部材６０が、図示の如く、開くように構成されている。
【００４２】
図３は、蓋部材６０の開閉動作機構の例を示す部分拡大断面図である。同図（ａ）は蓋部材６０が閉じられている状態を示し、同図（ｂ）は蓋部材６０が開かれている状態を示している。
【００４３】
同図（ａ）に示すように、蓋部材６０は軸６１により回動可能に軸支され、付勢部材であるバネ６２により時計回転方向に付勢されている。これにより蓋部材６０は、ガイド部材５９に当接し、閉じた状態となされている。
【００４４】
蓋部材６０には、紐６３の一方の端部が結ばれており、他方はプーリ６４に巻かれている。プーリ６４の外周には歯車６４ｇが形成され、ステッピングモータ６６の回転軸に圧入されたピニオンギア６５と歯合している。
【００４５】
同図（ａ）に示す状態で、ステッピングモータ６６を駆動し、プーリ６４を図示矢印方向に回転させることで、同図（ｂ）に示すように、蓋部材６０をバネ６２の付勢力に抗して回動させて開動作を行わせることができるようになっている。また、同図（ｂ）に示す状態から、ステッピングモータ６６を駆動し、プーリ６４を図示矢印と逆方向に回転させることで、同図（ａ）に示すように、蓋部材６０はバネ６２の付勢力により回動し閉動作を行わせることができる。
【００４６】
蓋部材６０は、筐体４０が原稿ガラスＧ１の上面側を覆う位置にあるとき、上述の開状態にされる。
【００４７】
なお、蓋部材６０の開閉動作機構については、これに限るものでなく、他のアクチュエータ、他の機構を用いてもよい。
【００４８】
この蓋部材６０の開動作により、ＡＤＦ５０１を備えた筐体４０内に配置された送風機からの空気流を照明光源側に送風する送風経路が形成される。以下、送風経路について説明する。
【００４９】
図４は、ＡＤＦ５０１を備えた筐体４０の上面の外観及び部分的な断面を示す模式図である。
【００５０】
同図に示すように、ＡＤＦ５０１を備えた筐体４０は、２つの蝶番７０を介して画像形成装置に取り付けられている。蝶番７０により、筐体４０は、原稿ガラスＧ１の上面側を覆う位置（図２に示す状態）と、不図示の原稿ガラスＧ１の上面を露呈する位置とに回動可能となされている。
【００５１】
図示Ａ−Ａで示す領域は、筐体４０内部の断面を示している。この断面で示すように、本例の筐体４０の内部には、各給送ローラ群５０のローラを選択的に回転駆動させるための駆動部であるモータ７１、７２、７３が配置されている。モータ７１の近傍には送風機７４、モータ７３の近傍には送風機７５が配置され、モータ駆動時に発生する熱を送風により冷却するようになっている。
【００５２】
送風機７４の送風方向には、開口部７６ｋが形成されたダクト７６が配置されている。送風機７４の送風による空気流は、モータ７１の周辺を通過した後、ダクト７６内に流入させられる。
【００５３】
図５は、ダクト７６に流入した空気流のその後の流路を示す断面図である。同図は、図２に示すＡＤＦ５０１の一部とスリットガラスＧ２の下方で静止した照明光源３２及び、反射ミラーＭ１、Ｍ２、Ｍ３周辺を拡大して示した部分断面図である。
【００５４】
蓋部材６０は、図３（ｂ）に示す開状態とされている。図４で説明したダクト７６内に流入させられた空気流は、図示の如く、断面がコの字状に形成されたダクト７６の開いた部分から、蓋部材６０とガイド部材５９の間を通過して、照明光源３２へ向かい、その後外部へ流出する。
【００５５】
すなわち、蓋部材６０を開状態にすることで、筐体４０内に配置された送風機７４から照明光源３２へ送風を行う送風経路が形成され、照明光源３２の冷却を筐体４０内に配置した送風機で行うことができる。これにより、原稿ガラスＧ１及びスリットガラスＧ２の下面側に、従来配置されていた送風機を廃止することができる。
【００５６】
図６は、上述の画像読取装置ＹＳの動作概略例を示すフローチャートである。本例は、ＡＤＦが標準装備でない画像形成装置の画像読み込みの部分のみを示している。以下、フローに従い説明する。
【００５７】
画像形成装置に設けられた不図示の操作部のスタート釦がオペレータによりＯＮされると、画像読み込みが開始される。
【００５８】
まず、ＡＤＦを備えた筐体が装備されているか否か判断する（ステップＳ１０１）。ＡＤＦを備えた筐体が装備されている場合（ステップＳ１０１；Ｙｅｓ）は、原稿がＡＤＦの原稿トレイ上に載置されているか否か判断する（ステップＳ１０２）。原稿がＡＤＦの原稿トレイ上に載置されている場合（ステップＳ１０２；Ｙｅｓ）は、更に、ＡＤＦを備えた筐体が、原稿ガラスを覆う位置にあるか否か判断する（ステップＳ１０３）。
【００５９】
ＡＤＦを備えた筐体が、原稿ガラスを露呈する位置にない場合（ステップＳ１０３；Ｎｏ）は、警告（ステップＳ１２１）を行い、オペレータにより筐体が原稿ガラスを覆う位置とされるまで待機する。筐体が、原稿ガラスを覆う位置にある場合（ステップＳ１０３；Ｙｅｓ）には、蓋部材を開状態（図３（ｂ）参照）とする（ステップＳ１０４）。
【００６０】
次いで、筐体内の送風機を駆動しつつ、第２の画像読込手段を用いて、原稿の画像読み込みを行う（ステップＳ１０５）。
【００６１】
１枚の原稿の画像読み込みが終了すると、全ての原稿の読み込みが終了したか否か判断する（ステップＳ１０６）。この判断は、原稿トレイ上に原稿が残っているか否かで判断される。全ての原稿の読み込みが終了していない場合（ステップＳ１０６；Ｎｏ）には、ステップＳ１０５を繰り返し、全ての原稿の読み込みが終了した場合（ステップＳ１０６；Ｙｅｓ）には、読み込みを終了する。
【００６２】
一方、ＡＤＦが装備されていない場合（ステップＳ１０１；Ｎｏ）及び、原稿がＡＤＦの原稿トレイ上に載置されていない場合（ステップＳ１０２；Ｎｏ）には、第１の画像読取手段を用いて、原稿ガラス上の原稿画像の読み込みを行った後、終了する。
【００６３】
すなわち、ＡＤＦが装備され、ＡＤＦの原稿トレイ上に原稿がセットされ、ＡＤＦを備えた筐体が原稿ガラスを覆う位置（図２参照）となっている場合には、蓋部材を開状態（図３（ｂ）参照）として、ＡＤＦ内の送風機から照明光源までの送風経路を形成し、第２の画像読込手段を用いて原稿画像の読み込みを行う、ということである。
【００６４】
なお、画像形成部の画像形成動作及び定着部の定着動作については、詳細な説明は省略するが、少なくとも１枚の原稿画像の読み込みが終了した時点以降に開始される。
【００６５】
図７は、蓋部材６０の開閉動作機構の変形例を示す部分拡大断面図である。同図（ａ）は蓋部材６０が閉じられている状態を示し、同図（ｂ）は蓋部材６０が開かれている状態を示している。
【００６６】
同図に示す蓋部材６０の開閉動作機構においては、ＡＤＦ５０１を備えた筐体４０に一体的に突起部４０ｔが形成されている。筐体４０が原稿ガラスＧ１を露呈する位置にある場合には、蓋部材６０はバネ６２の付勢力により同図（ａ）に示す閉状態となる。
【００６７】
一方、ＡＤＦ５０１を備えた筐体４０が原稿ガラスＧ１を覆う位置となされた場合には、突起部４０ｔが蓋部材６０に係合し、蓋部材６０をバネ６２の付勢力に抗して押し下げ、同図（ｂ）に示す開状態とする。
【００６８】
このように、蓋部材６０を筐体４０の回動状態に機械的に連動させて、開閉動作させてもよい。こうすることで、蓋部材６０の開閉動作のためのアクチュエータを不要とすることができる。
【００６９】
なお、図７に示す蓋部材６０の開閉動作機構の場合には、図６に示したフローのうち、ステップＳ１０４を削除したフローで動作させればよい。
【００７０】
以上説明したように、ＡＤＦを用いて原稿の画像を読み取る際には、蓋部材が移動して、ＡＤＦから照明光源へ送風が可能な送風経路を形成し、ＡＤＦを備えた筐体内に配置された送風機から照明光源に送風することで冷却を行うことが可能となる。
【００７１】
また、原稿ガラスの上面側に配置されるＡＤＦを内包した筐体が原稿ガラスを覆う状態のとき、蓋部材を移動させるよう構成することで、内部へ塵が侵入することを防止することができる。
【００７２】
なお、上記の実施の形態では、画像形成装置の例としてカラー画像の形成可能なものを用いて説明したが、これに限るものでなく、モノクロ画像専用機であってもよいのは言うまでもない。
【００７３】
また、開閉する蓋部材６０は、原稿ガラスＧ１に原稿を載置する際の、突き当て基準板を兼用してもよい。
【図面の簡単な説明】
【００７４】
【図１】本実施の形態に係る画像読取装置を備えた画像形成装置の全体構成を示す断面図である。
【図２】本実施の形態に係る画像読取装置を備えた画像形成装置の全体構成を示す断面図である。
【図３】蓋部材の開閉動作機構の例を示す部分拡大断面図である。
【図４】ＡＤＦを備えた筐体の上面の外観及び部分的な断面を示す模式図である。
【図５】ダクトに流入した空気流のその後の流路を示す断面図である。
【図６】画像読取装置の動作概略例を示すフローチャートである。
【図７】蓋部材の開閉動作機構の変形例を示す部分拡大断面図である。
【符号の説明】
【００７５】
３０  光学系
３２  照明光源
４０  筐体
４１  原稿トレイ
５１、５２、５３、５５、５６、５７、５８  給送ローラ対
５４  ローラ
５９  ガイド部材
６０  蓋部材
６２  バネ
６３  紐
６４  プーリ
６５  ピニオンギア
６６  ステッピングモータ
７０  蝶番
７１、７２、７３  モータ
７４、７５  送風機
７６  ダクト
５０１  自動原稿給送装置（ＡＤＦ）
ｄ  原稿
Ｇ１  原稿ガラス
Ｇ２  スリットガラス
Ｍ１、Ｍ２、Ｍ３  反射ミラー
ＹＳ  画像読取装置
ＧＨ  画像形成部
ＣＣＤ  ラインセンサ
９  定着部
【図１】
2010135888.tif 000003
【図２】
2010135888.tif 000004
【図３】
2010135888.tif 000005
【図４】
2010135888.tif 000006
【図５】
2010135888.tif 000007
【図６】
2010135888.tif 000008
【図７】
2010135888.tif 000009